(57)【要約】【課題】専用配管等の配線ルートが確保されていない既存の住宅において、光ファイバケーブルを住宅外部から内部に引き込む際の、住宅壁面への光ファイバケーブルの施工を簡単に行え、美観等に優れる施工方法の提供。【解決手段】光ファイバケーブルを建築物の外部から内部に引き込むための配線方法であって、サイディング材の通気工法を利用して、建築物の躯体壁とサイディング材との間に確保された空間に光ファイバケーブルを配置することを特徴とする光ファイバケーブルの配線方法。【選択図】図１
2005275274.tif 000002
【特許請求の範囲】
【請求項１】
光ファイバケーブルを建築物の外部から内部に引き込むための配線方法であって、建築物の躯体壁とサイディング材との間に確保された空間に光ファイバケーブルを配置することを特徴とする光ファイバケーブルの配線方法。
【発明の詳細な説明】
【技術分野】
【０００１】
本発明は、建築物の外部から内部に引き込むための光ファイバケーブルの配線方法に関する。
【背景技術】
【０００２】
近年、光ファイバを用いた高速通信が一般住宅向けにも普及し始めている。しかし一般住宅において光ファイバケーブルを配線するためには制約が多い。特に電柱等の最終中継点から住宅に配線した後、建築物の外部から内部に引き込むための配線方法には制約が多い。すなわち新築時であればあらかじめ配線ルートを確保することが可能である（特許文献１、２参照）が、既存の住宅に敷設する際には専用配管等の配線ルートが存在しないために敷設に問題が生じる場合があった。
【０００３】
従来から採用されている具体的な配線方法としては、壁面の表面にケーブルを直接配線する露出工法、これに保護用のモール（被覆管）をさらに設ける（特許文献３参照）モール工法等が挙げられる。しかし露出工法においては外観が美しくなく、かつ、ケーブルの耐候性に注意を払う必要があり問題がある。またモール工法は手間がかかり、経済的にも不都合であるという問題がある。
【０００４】
【特許文献１】特開２００２−２１３０３５号公報
【特許文献２】特開２００４−３２６２号公報
【特許文献３】特開２００３−１３１０４３号公報
【発明の開示】
【発明が解決しようとする課題】
【０００５】
本発明は、既存の住宅の外部から内部に引き込む際の、建築物壁面への光ファイバケーブルの施工を簡単に行え、美観等に優れる施工方法の提供を目的とする。
【課題を解決するための手段】
【０００６】
すなわち本発明は、光ファイバケーブルを建築物の外部から内部に引き込むための配線方法であって、建築物の躯体壁とサイディング材との間に確保された空間に光ファイバケーブルを配置することを特徴とする光ファイバケーブルの配線方法を提供する。
【発明の効果】
【０００７】
本発明によれば、専用配管等の配線ルートが確保されていない既存住宅においても、簡単に施工が行え、美観にも優れる。
【発明を実施するための最良の形態】
【０００８】
本発明は、光ファイバケーブルを建築物の外部から内部に引き込むための配線方法であって、建築物の躯体壁とサイディング材との間に確保された空間に光ファイバケーブルを配置することを特徴とする。その具体例を図を用いて説明する。
【０００９】
図１は、本発明の実施態様の一例を示す概観図である。建築物１０の躯体壁１１にはサイディング材支持部材１４を介してサイディング材１２が取り付けられている。躯体壁１１とサイディング材１２との間には通気空間１３が確保されている。電柱４０から建築物１０に対して敷設された光ファイバケーブルの屋外配線２１は接続箱３０で中継される。接続箱３０からは光ファイバケーブルの引き込み配線２２ａ、２２ｂが引き出される。この引き込み配線２２ａ、２２ｂは、サイディング材貫通孔１５を通過し、通気空間１３を経由して、それぞれ躯体壁貫通孔１６ａ、１６ｂを通過して建築物１０内の所定の位置に配線される。なお図１においては、波線部より右側はサイディング材を除去した場合の様子が示されている。
【００１０】
本発明は、サイディング材（特に乾式サイディング材）の通気工法を利用することを特徴とする。通気工法とは、建築物の躯体壁にサイディング材を施工する際に、躯体壁とサイディング材との間に通気空間を確保して、サイディング材と躯体壁の間での結露を防止する工法である。通気空間を確保するためには、金具、胴縁等のサイディング材支持部材を利用して、サイディング材を躯体壁に固定する。この際サイディング材の上端、下端部分は原則として雨仕舞を施された上で開放となるように施工される。
【００１１】
本発明における建築物としては、一般住宅（戸建住宅）が好適であるが、２〜１０戸程度からなる小規模集合住宅にも適用できる。また本発明は、光ファイバの専用配管等の配線ルートが確保されていない、既存の建築物に対して好ましく適用できる。
【００１２】
光ファイバケーブルの屋外配線２１は既に電柱４０等に施工されているところから分岐または延伸する。図１においては電柱４０が示されているが、例えば下水配管等により建築物の近くまで敷設される場合であってもよい。いずれの場合であっても、施工上の都合から建築物１０の外部（例えば外壁、軒下等）には接続箱３０が設けられることが多いが、設置を省略することも可能である。接続箱３０は、戸建住宅の場合には北面壁の屋根軒下部分に、小規模集合住宅の場合には２階共用廊下の高所に設置されることが好ましい。
【００１３】
接続箱３０内部には、光通信用の分配機器、配線機器等（具体的にはＯＮＵ（Ｏｐｔｉｃａｌ−Ｎｅｔｗｏｒｋ−Ｕｎｉｔ）、ＨＵＢ等）が設けられる。接続箱３０の内部では、光ファイバケーブルの屋外配線２１と引き込み配線２２ａ、２２ｂとが、配線機器等を介して接続される。引き込み配線２２ａ、２２ｂは、サイディング材貫通孔１５を通過して通気空間１３に配置される。サイディング材貫通孔１５は接続箱３０の近傍に設けられることが好ましいが、接続箱３０のサイディング材１２への取り付け面に設けられ、外部からは目視できないようになっていてもよい。すなわちサイディング材貫通孔１５の開口部に接続箱３０を設けてもよい。サイディング材貫通孔１５には、ブッシュまたはパイプを設けることが好ましい。またこのサイディング材貫通孔１５は、最終的には防水キャップをかぶせるかシーラント処理を行い防水加工することが好ましい。
【００１４】
引き込み配線２２ａ、２２ｂはそれぞれ躯体壁貫通孔１６ａ、１６ｂを通過して建築物１０の内部に導入される。躯体壁貫通孔１６ａ、１６ｂは躯体壁１１を貫通する孔であるが、サイディング材の躯体壁貫通孔１６ａ、１６ｂとそれぞれ同軸の位置には孔を設けないことが好ましい。すなわち躯体壁貫通孔１６ａ、１６ｂは建築物１０の内部（室内）から開口処理することが好ましい。躯体壁貫通孔１６ａ、１６ｂには、ブッシュまたはパイプを設けることが好ましい。またこの躯体壁貫通孔１６ａ、１６ｂは、最終的には防水キャップをかぶせるかシーラント処理を行い防水加工することが好ましい。
【００１５】
躯体壁貫通孔１６ａ、１６ｂを通過して室内に引き込まれた引き込み配線２２は、さらに必要な配線処理を行う。すなわち躯体壁貫通孔１６ａ、１６ｂの室内側開口部にコンセントを設けてもよく、配線機器等を収納した接続箱を設けてもよい。引き込み配線２２ａ、２２ｂとしては屋内仕様の光ファイバケーブルが採用できる。特に柔軟性に優れ、接続作業も容易であることから、光ファイバケーブルとしてはプラスチック製光ファイバを用いたケーブルが好適である。
【００１６】
通気空間１３における引き込み配線２２ａ、２２ｂの配置方法としては、サイディング材の施工状況に応じて適宜選択すればよい。例えばサイディング材貫通孔１５と躯体壁貫通孔１６ａ、１６ｂとからそれぞれ呼び線を通気空間１３へと挿入し、サイディング材１２の下端開口部でこれらの呼び線を結び、これに引き込み配線２２ａ、２２ｂを接続し、呼び線をサイディング材貫通孔１５または躯体壁貫通孔１６ａ、１６ｂから引き出すことで引き込み配線２２ａ、２２ｂを通気空間１３に配置することができる。
【産業上の利用可能性】
【００１７】
既存の一般住宅にも安価に光ファイバケーブルが施工できる。
【図面の簡単な説明】
【００１８】
【図１】本発明の実施態様の一例を示す概観図。
【符号の説明】
【００１９】
１０：建築物、１１：躯体壁、１２：サイディング材、１３：通気空間、
１４：サイディング材支持部材、１５：サイディング材貫通孔、
１６ａ、１６ｂ：躯体壁貫通孔、
２１：屋外配線、２２ａ、２２ｂ：引き込み配線、３０：接続箱、４０：電柱。
【図１】
2005275274.tif 000003